(57)【要約】  コンピュータファイル又はデータベース中に記憶されたアミノ酸配列中の複雑なパターンを同定し及び／又は位置決めするための方法及びシステムが開示される。本発明の側面によれば、タンパク質データべースに問い合わせることを促進するための技術が提供される。問い合わせへの応答として受容されたタンパク質の記述について、本発明の実施態様は、受容されたタンパク質の記述をスキャンして、レプリキンパターンを同定し、位置決めすることができる。レプリキンパターンは、それぞれが本発明の実施態様によって認識されることができる以下の３つの（３）特徴：（１）該配列は、第二のリジン残基から６〜１０アミノ酸残基の位置に位置する少なくとも１つのリジン残基を有し；（２）該配列は、少なくとも１つのヒスチジン残基を有し；そして（３）該配列中の少なくとも６％のアミノ酸はリジン残基である、を含む、７〜約５０のアミノ酸であると定義される。
2007535766.tif 000002
【特許請求の範囲】
【請求項１】
以下のステップ：
アミノ酸残基のサブ配列中において、第一のリジン残基が第二のリジン残基から６〜１０位置以内に存在するか否かを決定し；
もし存在するなら、上記アミノ酸残基のサブ配列中に７〜５０の連続的なアミノ酸残基の列を同定し、ここで、該列は上記第一のリジン残基、上記第二のリジン残基及びヒスチジン残基を含み；
該列中のリジン残基のパーセンテージを計算し；そして
上記リジン残基のパーセンテージが少なくとも６パーセントである場合、上記列をレプリキンパターンとして認識する、
を含む、レプリキンパターンの認識方法。
【請求項２】
タンパク質中のレプリキンパターンの濃度を決定するための方法であって、以下のステップ：
請求項１に記載の方法によって認識された異なるレプリキンパターンを含む上記タンパク質を定義するアミノ酸残基の配列中のサブ配列の数を計数する、
を含む前記方法。
【請求項３】
さらに、以下のステップ：
上記計数されたサブ配列の数対前記配列中のアミノ酸残基の総数の比率を報告すること、
を含む、請求項２に記載の方法。
【請求項４】
上記タンパク質を定義する上記アミノ酸残基の配列がコンピュータファイルから検索される、請求項２に記載の方法。
【請求項５】
上記タンパク質を定義する上記アミノ酸残基の配列がデータベースから検索される、請求項２に記載の方法。
【請求項６】
上記データベースがネットワークを通じてアクセスされる、請求項５に記載の方法。
【請求項７】
プロセッサによって実行された場合、請求項１に記載の方法によって該プロセッサにレプリキンパターンを認識させる、実行可能な命令を記憶した、機械読み取り式の媒体。
【請求項８】
以下の：
ネットワークに連結されたプロセッサ；
該プロセッサに連結されたメモリ、ここで、該メモリは請求項１に記載の方法によってレプリキンパターンを認識する複数の命令を含む、
を含む、コンピュータシステム。
【請求項９】
アミノ酸のパターンを認識する方法であって、以下のステップ：
アミノ酸残基のコード化配列中でお互いの所定の第一の距離内に、少なくとも一対の第一のアミノ酸残基を位置決めし；
第一のアミノ酸残基の上記対の各メンバーの所定の第二の距離内に、第二のアミノ酸残基を位置決めし；
アミノ酸残基の列を同定し、ここで、前記列は、第一のアミノ酸残基の上記対と第二のアミノ酸残基を含み；
上記列中の第一のアミノ酸残基のパーセンテージを決定し；そして
上記列中の第一のアミノ酸残基の上記パーセンテージが少なくとも所定のパーセンテージである場合、上記列をアミノ酸の上記パターンであると認識する、
を含む、前記方法。
【請求項１０】
アミノ酸のパターンを認識する方法であって、以下のステップ：
タンパク質を定義するアミノ酸残基の配列のコード化された表現内にアミノ酸の列を位置決めし、ここで、該列は、少なくとも第一のアミノ酸及び第二のアミノ酸を含む、正規表現に適合しており；
上記列中の第二のアミノ酸の対の存在の間の距離が、所定の第一の範囲外である場合、上記アミノ酸の列を、上記パターンに適合しないとして捨て；
上記第一のアミノ酸の存在及び上記第二のアミノ酸の存在の間の距離が、所定の第二の範囲外である場合、上記アミノ酸の列を、上記パターンに適合しないとして捨て；そして
上記列中の第二のアミノ酸のパーセンテージが少なくとも所定のパーセンテージである場合、上記アミノ酸のパターンとして上記列を認識すること、
を含む、前記方法。
【請求項１１】
アミノ酸の足場構造を認識する方法であって、以下のステップ：
複数のタンパク質中に発生するレプリキンパターンのリストを構築し；そして、
上記足場構造を、上記リスト中の各レプリキンパターン中に発生する実質的に固定されたアミノ酸残基のパターンとして同定すること、
を含む、前記方法。
【請求項１２】
上記複数のタンパク質が、同じタンパク質の変異体を含む、請求項１１に記載の方法。
【請求項１３】
上記複数のタンパク質が、異なるタンパク質を含む、請求項１１に記載の方法。
【請求項１４】
病気の発生を予測する方法であって、以下のステップ：
最初の時点でタンパク質中に発生するレプリキンパターンの最初の計測数を決定し；
第二の時点で上記タンパク質中に発生するレプリキンパターンの第二の計測数を決定し；そして
上記第二の計測数が上記第一の計測数よりも大きい場合、上記タンパク質を有する生物体によって引き起こされる将来の病気の増加した確率を報告する、
を含む、前記方法。
【請求項１５】
ワクチンを合成する方法であって、以下のステップ：
病気を引き起こす生物体に関連するタンパク質の変異体中に発生するレプリキンパターンのリストを構築し；
アミノ酸の足場構造を、上記リスト中の各レプリキンパターン中に発生する実質的に固定されたアミノ酸残基のパターンとして同定し；
上記足場構造の構成要素を選択し、ここで、前記構成要素は経時的に保存され、かつ、ここで、前記構成要素は上記タンパク質の現在の変異体中に表現され；そして、
上記選択された構成要素に基づいてワクチンを合成する、
を含む、前記方法。
【請求項１６】
上記病気を引き起こす生物体がインフルエンザである、請求項１５に記載の方法。
【発明の詳細な説明】
【技術分野】
【０００１】
関連出願
本願は２００４年４月２８日に出願された、「アミノ酸の複雑なパターンを同定するためのシステム及び方法」と題する米国仮特許出願第６０／５６５，８４７号に基づく、米国特許法第１１９条（ｅ）項の優先権を主張する。この出願はまた、２００５年２月１６日に出願された「アミノ酸の複雑なパターンを同定するためのシステム及び方法」と題する米国仮特許出願第６０／６５３，０８３号に基づく、米国特許法第１１９条（ｅ）項の優先権も主張する。これらの仮出願はどちらもそれらの全体が、そしてすべての目的のために、参考文献として本願明細書中に援用されている。
【０００２】
さらに、本願は２００２年７月８日に出願された、「レプリキンペプチド及びそれらの用途」と題する米国非仮特許出願第１０／１８９，４３７号に基づく優先権の利益を主張し、かつ、その部分継続出願であり、該非仮特許出願は、２００２年３月２６日に出願された「グリア細胞の急速な複製及びインフルエンザ伝染におけるレプリキンペプチド」と題する米国非仮特許出願第１０／１０５，２３２号の部分継続出願であり、該非仮特許出願は、２００１年１０月２６日に出願された「レプリキン及びレプリキン含有配列の同定方法」と題する米国非仮特許出願第０９／９８４，０５７号の部分継続出願である。さらに、本願は、２００４年６月４日に出願された「レプリキンペプチド及びそれらの用途」と題する米国非仮特許出願第１０／８６０，０５０号に基づく優先権を主張し、かつその部分継続出願である。これらすべての非仮出願は、それらの全体が、そしてすべての目的のために、参考文献として本願明細書中に援用されている。
【０００３】
本発明は、一般的に、バイオインフォマティックスの分野に関する。より具体的には、本発明はヌクレオチド又はアミノ酸配列の複雑なパターンの同定を促進する技術に関する。
【背景技術】
【０００４】
よく知られているように、アミノ酸はタンパク質の構築ブロックである。タンパク質は、細胞構造の大部分を作り、そしていくつかのタンパク質は細胞反応を促進するための酵素として働く。２０個の異なるアミノ酸がタンパク質中に存在することが知られている。各タンパク質の性質は、構成要素であるアミノ酸の詳細な配列によって部分的に支配される。
【０００５】
アミノ酸及びタンパク質のデータベースは、U.S. National Library of Medicine におけるNational Center for Biotechnology Information（NCBI）及びLos Alamos National LaboratoryにおけるInfluenza Sequence Databaseなどの様々な研究機関によって保持されている。これらのデータベースは、典型的には、研究者にとって特定のタンパク質を検索し、入手する能力を提供するウエブページを通じたインターネットを介してアクセス可能である。これらのデータベースはまた、地域的な及び広域的なネットワークを介して研究者がアクセス可能である。さらに、研究者は、磁気ディスク、光ディスク、スタティックメモリ装置、及び本分野で知られた様々な他のデジタル記憶媒体などの末端装置に記憶されたアミノ酸及びタンパク質データベースに直接アクセスすることもできる。
【０００６】
アミノ酸及びタンパク質データベースにおいては、アミノ酸は典型的にアルファベット文字でコードされる。図１は、タンパク質中に存在することが知られている各アミノ酸を列挙し、それによってデータベースにおいて該アミノ酸が表されることのできる、International Union of Pure and Applied Chemistry（IUPAC）によって供給された基準にしたがって、３文字の略語及び１文字のコードを提供する。
【０００７】
所与のタンパク質は、そのアミノ酸配列によって記述されることができる。例えば、図１に示される１文字のコードを用いて、文字列「ｃｒｖｐｓｇｖｄｌa」は、以下のアミノ酸配列：システイン、アルギニン、バリン、プロリン、セリン、グリシン、バリン、アスパラギン酸、ロイシン及びアラニンによって定義されるタンパク質に相当する。
【０００８】
（ヒトにおける癌に関係するタンパク質などの）一定の基準を満たすタンパク質についてデータベースが検索された場合、タンパク質データベース検索エンジンは、何百又は何千もの適合するタンパク質を同定することによって応答する。この適合タンパク質の組は、さらなる検索基準を与えることによって狭められることができる。検索過程のいつの時点においても、特定のタンパク質が選択され、そして再調査されることができる。図２において、プリントアウトされたものは、ヒトの癌に関係するタンパク質についてNCBI検索から同定された特定のタンパク質を記述する。
【０００９】
図２に見られるように、タンパク質の記述は、同定因子のなかでも、タンパク質の表題（「頭部及び頚部の扁平上皮癌における新規なセリンプロテアーゼ相同体の発現差異」（Differential expression of a novel serine protease homologue in squamous cell carcinoma of head and neck））、タンパク質の記述者（「Lang, J.C. 及びSchuller, D.E.」）、及び該タンパク質がそこから単離された生物体（「ヒト」（Homo sapiens））のような情報などの詳細な情報を含んでよい。
【００１０】
タンパク質の記述は、該タンパク質を定義するアミノ酸の特異的な配列を含んでよい。例えば、図２において、「ORIGIN」という用語によって前置きされたプリントアウトの部分に、アミノ酸配列データがタンパク質の記述の最後に見出される。この例において、最初のいくつかのアミノ酸は「myrpdvvrar」であり、これは、メチオニン、チロシン、アルギニン、プロリン、アスパラギン酸、バリン、バリン、アルギニン、アラニン及びアルギニンに対応する。
【００１１】
いくつかのタンパク質の記述は、アミノ酸配列よりも該タンパク質を定義する核酸塩基の配列を含むことができる。知られているように、３つの核酸塩基の配列（すなわち、核酸塩基トリプレット）は、図３に見出される表によって提供されるマッピングに従うアミノ酸に対応することができる。表中に認められる各核酸塩基トリプレットは、特異的なアミノ酸を表すか又は対応する。例えば、核酸トリプレットGCT（グアニン−シトシン−チミン）は、アミノ酸アラニンに対応する。同様に、核酸トリプレットGCA（グアニン−シトシン−アデニン）も、アミノ酸アラニンに対応する。他の例として、核酸トリプレットAAA及びAAG（それぞれ、アデニン−アデニン−アデニン及びアデニン−アデニン−グアニン）はそれぞれアミノ酸リジンに対応する。
【００１２】
レプリキンパターン
先の特許出願において、発明者らは、「レプリキンパターン」又は単に「レプリキン」と名づけられたアミノ酸のパターンを同定し、そして記載した。レプリキンパターンは、約７〜約５０の隣接したアミノ酸の配列であって、以下の３つの特徴を含むものを含む。
（１）該配列は、第２のリジン残基から６〜１０アミノ酸残基の位置にある少なくとも１つのリジン残基を有し；
（２）該配列は、少なくとも１つのヒスチジン残基を有し；そして
（３）該配列は、少なくとも６％のリジン残基を有する。
【００１３】
レプリキンは、真菌、酵母、ウイルス、細菌、藻類、及び癌細胞における急速な複製と関連することが示された。この関連に基づいて、レプリキンは、病気の指標であることができると考えられる。さらに、時間に伴うレプリキン濃度の増加は、切迫した病気の発生の指標であることができる。例えば、（H1N1、H2N2及びH3N2として同定された）２０世紀における３種のインフルエンザそれぞれの世界的流行の前には、対応するインフルエンザウイルスにおけるレプリキン濃度の顕著な増加があった。H5N1インフルエンザに関して、図４は、１９９７年（E1として示される）、２００１年（E2として示される）及び２００４年（E3として示される）における流行の直前に１００アミノ酸あたりのレプリキンの濃度の急速な増加を示している。レプリキンパターンは、肺、脳、肝臓、柔組織、唾液腺、鼻咽腔、食道、胃、結腸、直腸、胆嚢、乳房、前立腺、子宮、子宮頚部、膀胱、眼の癌、メラノーマ、リンパ腫、白血病の形態及び腎臓の癌を含む、多様な病気に関連したタンパク質において見出されている。重要なことは、レプリキンパターンは正常な健康なヒトゲノムにはないと見られることである。図５は、多様な生物体において発見されたレプリキンパターンの選ばれた例を列挙する。
【００１４】
例えば、（図５の腫瘍ウイルスカテゴリーにおいて最後にエントリーした）C型肝炎において発生する１３残基のパターン「hyppkpgcivpak」は、レプリキンパターンである。なぜなら、（１）それは、８残基離れた２つのリジン残基を含み；（２）それは、ヒスチジン残基を含み、そして（３）リジン残基のパーセンテージは、１５．４％である２／１３であるからである。
【００１５】
アミノ酸検索ツール
本分野で知られているとおり、タンパク質及びアミノ酸のデータベースは、多様なデータベースツール及び検索エンジンを用いて検索されることができる。これらの公的に利用可能なツールを用いて、アミノ酸パターンは記述され、そして多くの異なる生物体に対応する多くの異なるタンパク質において位置決めされることができる。いくつかの方法及び技術が利用可能であり、それによってアミノ酸パターンが記述されることができる。1つの一般的なフォーマットはPROSITEパターンである。PROSITEパターンの記述は以下の規則にしたがって構築されることができる。
【００１６】
（１）アミノ酸のための標準的なInternational Union of Pure and Applied Chemistry（IUPAC）の１文字コードが使用される（図１を参照のこと）。
（２）シンボル「ｘ」は任意のアミノ酸が受容される位置のために使用される。
（３）あいまいさは、所与の位置についての許容可能なアミノ酸を四角括弧「［］」の間に列挙することによって示される。例えば、［ALT］は、アラニン又はロイシン又はトレオニンをさす。
（４）あいまいさはまた、中括弧の対「｛｝」の間に所与の位置において許容されないアミノ酸を列挙することによっても示される。例えば、｛AM｝は、アラニン及びメチオニン以外のいずれかのアミノ酸をさす。
（５）パターン中の各要素は、その隣のものと「−」によって分けられる。
（６）パターンの要素の反復は、その要素に続く括弧の間の数値又は数字の範囲によって示されることができる。例：x(3)は、ｘ−ｘ−ｘに対応し、ｘ（２，４）は、ｘ−ｘ又はｘ−ｘ−ｘ又はｘ−ｘ−ｘ−ｘに対応する。
（７）パターンが配列のN−又はC−末端のいずれかに限定される場合、そのパターンは、それぞれシンボル「＜」で始まるか又はシンボル「＞」で終わる。
（８）ピリオドは、パターンを終了する。
【００１７】
PROSITEパターンの例は、以下のものを含む：
PA［AC］−ｘ−V−ｘ（４）−｛ED｝。このパターンは、［アラニン又はシステイン］−任意−バリン−任意−任意−任意−任意−｛任意であるが、グルタミン酸又はアスパラギン酸ではない｝と翻訳される。
【００１８】
PA＜A−ｘ−［ST］（２）−ｘ（０，１）−V。配列のN-末端になければならない（「＜」）このパターンは、以下のように翻訳される：アラニン−任意−「セリン又はトレオニン」−「セリン又はトレオニン」−（任意又はなし）−バリン。
【００１９】
アミノ酸パターンを記述するための他の一般的なフォーマットは、コンピュータ科学者によく知られた正規表現フォーマットである。コンピュータ科学においては、正規表現は、そのために有限のオートマタが自動的に構築されて言語におけるトークンを認識する、特徴のパターンを記述するために典型的に使用される。おそらく、最も注目すべき正規表現検索ツールは、Unix（登録商標）ユーティリティgrepである。
【００２０】
アミノ酸配列パターンを記述することに関しては、単純化された一組の正規表現機能が典型的に採用される。これらの単純な正規表現ルールによって定義されたアミノ酸配列パターンは、外観および結果の両方においてPROSITE パターンにかなり類似することとなる。アミノ酸配列についての正規表現による記述は、以下のルールにしたがって作られる：
（１）アミノ酸残基については大文字を用い、そして（必要ではないが）「−」を２つのアミノ酸の間に置く。
（２）特定の位置における複数のアミノ酸の選択肢については「［］」を使用する。［LIVM］は、L、I、V又はMの任意の1つのアミノ酸がその位置にあることができることを意味する。
（３）アミノ酸を除外するためには「｛｝」を使用する。したがって、｛CF｝は、CおよびFがその特定の位置にあってはならないことを意味する。いくつかのシステムにおいては、除外機能は、「＾」記号で特定されることができる。例えば、＾Gは、グリシン以外のすべてのアミノ酸を意味し、そして［＾ILMV］は、I、L、MおよびV以外のすべてのアミノ酸を表す。
（４）任意のアミノ酸であることのできる位置については、「ｘ」又は「X」を使用する。
（５）複数の位置については、nが数字である「（n）」を使用する。例えば、ｘ（３）は、「ｘｘｘ」と同じである。
（６）複数又は可変の位置については、「（ｎ１，ｎ２）」を使用する。したがって、ｘ（１，４）は、「ｘ」又は「ｘｘ」又は「ｘｘｘ」又は「ｘｘｘｘ」を表す。
（７）パターンがＮ又はＣ末端にマッチすることを要求するためには、「＞」というシンボルを該パターンの最初又は最後に使用する。例えば、「＞MDEL」は、MDELで始まる配列のみを見出す。「DEL＞」はDELで終わる配列のみを見出す。
【００２１】
正規表現、「［LIVM］−［VIC］−ｘ（２）−G−［DENQTA］−ｘ−［GAC]−ｘ（２）−［LIVMFY］（４）−ｘ（２）−G」は、以下の：L、I、VまたはMを１位に有し；V、I、またはCを２位に；任意の残基を３および４位に；Gを５位に・・・を有する１７個のアミノ酸を表す。
【００２２】
他の類似のフォーマットも使用される。例えば、Basic Local Alignment Search Tool (BLAST)は、インターネット上で利用可能な周知のシステムであり、ヌクレオチドおよびタンパク質データベースの迅速な検索のためのツールを提供する。BLASTは、３つのフォーマット：FASTA配列フォーマット、NCBI寄託番号、又はGenBank配列番号で入力された配列を受け入れる。しかしながら、これらのフォーマットは、正規表現又はPROSITEパターンよりも構造がより単純である。FASTAフォーマットの配列の例は以下の：
【化１】
2007535766.tif 000003
である。
【００２３】
BLASTシステムの特徴は、類似する領域を共有する配列間の関係を検出するために局所的な整列の領域についての配列データベースを検索するために使用される配列比較アルゴリズムを含む。しかしながら、BLASTツールは、発見されそして位置決めされることのできるアミノ酸配列の構造に関しては制限される。例えば、BLASTは、レプリキンパターンが必要とする「第二のリジン残基から６〜１０アミノ酸残基の位置にある少なくとも１つのリジン残基」を有する配列を検索することができない。BLASTは、「少なくとも６％のリジン残基」を有する配列のような、特別なアミノ酸の特定のパーセンテージ又は濃度を含むアミノ酸配列を検索することもできない。
【００２４】
レプリキン検索ツールの必要性
その定義からわかるように、レプリキンパターンの記述は、アミノ酸の単一の直線的配列として表されることはできない。したがって、否定、結合および鎖状体形成などの論理的な組を構築することのできるオペレーションにしたがって得られる順序付けられた配列を記述するためによく適合されている、PROSITEパターンおよび正規表現のどちらもが、レプリキンパターンを記述するのに適していない。
【００２５】
アミノ酸の直線的配列とは対照的に、レプリキンパターンは、単純な連続する順番を超越したアミノ酸の属性に特徴を有する。特に、レプリキンパターンが少なくとも６％のリジン残基を含むという要求だけでは、レプリキンパターン中のリジン残基の実際の配置が比較的制限されないことを意味する。したがって、一般に、単一のPROSITEパターン又は単一の正規表現を用いてレプリキンパターンの記述を表すことは不可能である。
【００２６】
したがって、本分野では、所与のアミノ酸配列をスキャンし、そしてレプリキンパターンのすべての場合を同定するためのシステムおよび方法が必要とされる。同様に、レプリキンパターンにマッチするアミノ酸配列について、タンパク質データベースおよびアミノ酸データベースを検索するためのシステムおよび方法が必要とされる。さらに、研究者が以下の特徴のいかなる所望の組み合わせも含む任意の特定された長さのアミノ酸配列を位置決めすることを可能とする、一般化された検索ツールが本分野で必要とされている：（１）N位置超かつM位置未満、第二のアミノ酸残基から離れて位置する第一のアミノ酸残基；（２）配列の任意の場所に位置する第三のアミノ酸残基；および（３）該配列は少なくともRパーセントの第四のアミノ酸残基を含む。最後に、従来技術の欠点は病気の予測および治療に関する研究分野においてより明らかである。（菌株特異的なインフルエンザの流行などの）病気の発生を前もって予測するため、そして同様に、経時的に保存されることが発見され、タンパク質およびアミノ酸配列の検索のための従来方法ではこれまで検出されなかった、アミノ酸配列又はアミノ酸モチーフに基づいて設計される合成ワクチンを可能とするためのシステムが本分野で非常に必要とされている。
【００２７】
詳細な説明
本発明の実施態様は、アミノ酸配列の複雑なパターンを同定し及び／又は位置決めするためのシステム及び方法に向けられている。本発明の側面によれば、タンパク質データベースの問い合わせを促進するための技術が提供される。該問い合わせに対する応答として受け取られたタンパク質の記述については、本発明の実施態様は、受け取られたタンパク質の記述をスキャンして、レプリキンパターンを同定しかつ位置決めすることができる。ある実施態様によれば、レプリキンパターンは、それぞれが本発明の実施態様によって認識されることのできる以下の３つの（３）特徴を含む、７〜約５０アミノ酸の配列である。（１）該配列は、第二のリジン残基から６〜１０アミノ酸残基の位置に位置する少なくとも１つのリジン残基を有し；（２）該配列は、少なくとも１つのヒスチジン残基を有し；そして（３）該配列中の少なくとも６％のアミノ酸はリジン残基である。本発明の他の実施態様は、特定された長さの制約を有する複雑なアミノ酸配列を同定し及び／又は位置決めすることができ、該配列はさらに、以下の特徴の任意の組み合わせを含む：（１）N位置超かつM位置未満、第二のアミノ酸残基から離れて位置する第一のアミノ酸残基；（２）配列の任意の場所に位置する第三のアミノ酸残基；および（３）少なくともRパーセントの第四のアミノ酸残基。さらに他の実施態様によれば、本発明は同定されたアミノ酸配列の発生を計数し、そして計数された発生数を生の絶対値又は該タンパク質中のNアミノ酸あたりの同定されたアミノ酸配列の数の比率のいずれかとして報告することができる。本発明のさらに他の実施態様は、所与のタンパク質の変異体中における同定されたアミノ酸配列パターンの進化を経時的に分析することができ、そしてまた、複数の異なるタンパク質にわたって同定されたアミノ酸配列パターン例の間の類似性及び相違を経時的に分析することもできる。分析の結果として、本発明のさらに他の実施態様が、同定されたアミノ酸配列パターンの構成要素が突然変異及び／又は発生するときに、経時的にかつ異なるタンパク質間で保存されていると見られる潜在的なアミノ酸足場構造を同定することができる。
【００２８】
本発明の実施態様は、全体を通して同様の部分が同様の参照番号をつけられ、そして各参照番号の一番左の数字が参照された部分が最初に現れる図の番号を指す、添付の図面を参照しつつ記載されるであろう。
【００２９】
図６は、本発明の実施態様による、アミノ酸配列中のレプリキンパターンを同定するためのシステム及び方法を組み込んだコンピュータシステムの高度なブロック図である。図６に示すように、コンピュータワークステーション６１０は、研究者がタンパク質データベースを検索し、そして選択されたアミノ酸パターンのためのタンパク質記述をスキャンすることを可能とするように構成されたプロセッサ及びメモリを含んでもよい。これらの機能を達成するために、コンピュータワークステーション６１０は、タンパク質及びアミノ酸リサーチシステム６３０を含んでよく、これはユーザー／研究者からの指示を受けてタンパク質検索及びアミノ酸スキャニング操作を行うことができる。ある実施態様によれば、タンパク質及びアミノ酸リサーチシステム６３０は、レプリキンパターンを含む特定のアミノ酸パターンについて、検索されたタンパク質及びアミノ酸配列を検索し及びスキャンするアミノ酸配列スキャナー６４０をさらにふくんでもよい。タンパク質及びアミノ酸リサーチシステム６３０は、ネットワークインターフェース６２０と連絡して、インターネットを含むことができるネットワーク６６０上の供給源からタンパク質配列及びアミノ酸配列を取得することができる。或いは、タンパク質及びアミノ酸リサーチシステム６３０は、ローカルなタンパク質データベース６５０からタンパク質配列及びアミノ酸配列を得ることができる。さらに、タンパク質及びアミノ酸リサーチシステム６３０は、キーボード入力などの他の入力手段から直接的にタンパク質配列及びアミノ酸配列を取得してもよい。タンパク質及びアミノ酸リサーチシステム６３０はまた、ネットワークインターフェース６２０と連絡して、ネットワーク６６０上の他のコンピュータに結果を伝送することができる。
【００３０】
レプリキンパターンについてのスキャニング
本発明の実施態様は、タンパク質内のアミノ酸の複雑なパターンを同定するための一般化された方法及び系を含んでもよい。タンパク質及びアミノ酸リサーチシステム６３０によって同定されるか又は選択されるいかなるタンパク質の定義にいついても、ユーザーは、アミノ酸のさまざまな複雑なパターンについて検索することに本発明の実施態様をむけさせることができる。アミノ酸の1つのパターンの例として、本発明は、レプリキンパターンを含むヌクレオチド又はアミノ酸配列を同定する方法を提供する。図７は、本発明の実施態様にしたがってアミノ酸の配列中のレプリキンパターンを位置決めするための一般的な方法を図示する単純なフローチャートである。方法７００は、アミノ酸配列が得られた後に開始することができる。典型的には、アミノ酸配列は、図１に与えられたコードにしたがってアルファベット文字によって表されることができる。しかしながら、他のコード化方法も同様に本発明の範囲内である。
【００３１】
図７を参照すると、アミノ酸配列がいったん得られれば、該配列はレプリキンパターンについて検索され（７１０）、これは、以下の特徴：（１）該列は、７〜約５０のアミノ酸を含み；（２）該列は、第二のリジン残基から６〜１０位置に位置する、少なくとも１つのリジン残基を含み；（３）該列は、少なくとも１つのヒスチジン残基を含み；そして（４）該列は、少なくとも６％のリジン残基を含む、を有するアミノ酸の配列（又は列）を含む。
【００３２】
アミノ酸の列がレプリキンパターンとマッチすることが発見されたら、該列はそれに応じて同定されるか又は標識されることができる（７２０）。
【００３３】
所与のアミノ酸配列は、レプリキンパターンにマッチする多くのサブ配列又は列を含むことができる。さらに、レプリキンパターンはお互いに重複するかもしれない。したがって、アミノ酸配列中ですべての可能なレプリキンパターンを位置決めし、そして同定するためには、方法７００はアミノ酸のもとの配列内に含まれるアミノ酸の各サブ配列について反復して起動されることができる。
【００３４】
アミノ酸配列中のすべての可能性のあるレプリキンパターンを同定し、そして位置決めするために方法７００が反復して起動される場合、本発明の実施態様は得られたレプリキンパターンの数を計数することができる。レプリキンの計測数は絶対値として報告されることができる。さらに、本発明の実施態様はまた、該配列中のNアミノ酸当たりのレプリキンの数の比率を決定することもできる。例えば、ある実施態様は、所与のタンパク質が１００アミノ酸あたり６の比率のレプリキンを含むと決定することができる。レプリキンの比率は、実験室での実験及び疫学的証拠によって示されて、所与のタンパク質が複製する速度に直接的に関係づけられた。タンパク質の急速な複製は、病気の指標であることができる。例えば、レプリキンパターンの比較的高い比率の存在は、インフルエンザの流行と関係付けられた。同様に、タンパク質中で経時的に観察されたレプリキンパターンの計測数の増加は、該タンパク質がそこから得られた生物体によって引き起こされる将来の病気の指標であることもできる（例えば、図４を参照のこと）。したがって、アミノ酸配列内でレプリキンパターンを検出しそして計数する能力は、本発明の顕著な利益である。
【００３５】
なお図７を参照すると、本発明の実施態様は、レプリキンパターンに類似した特徴を示す、アミノ酸の他の複雑なパターンを同定しそして位置決めするために、方法７００を利用してもよい。すなわち、本発明のいくつかの実施態様が以下の：（１）アミノ酸間の距離、（２）認識されたアミノ酸配列の許容可能な長さ、及び（３）特定のアミノ酸のパーセンテージ又は濃度、の正確な値を特定することができるにもかかわらず、これらの正確な値は変数として表現されてもよい。したがって、研究者は、本発明の実施態様を採用して、以下の特徴：（１）該配列は、rmin〜rmaxのアミノ酸を含み；（２）該配列は、第二のリジン残基からkmin〜kmaxアミノ酸残基に位置する、少なくとも１つのリジン残基を含み；（３）該配列は、少なくとも１つのヒスチジン残基を含み；そして（４）該配列は、少なくともkパーセントのリジン残基を含む、を有する、タンパク質中のアミノ酸配列を同定することができる。
【００３６】
図８は、本発明の実施態様によって、所与のアミノ酸配列中の複数のレプリキンパターンを位置決めするための、一般化された方法８００を図示するフローチャートである。方法８００は、所与の配列中の第一のリジン残基を位置決めすることによって開始する（８１０）。そして、方法８００は、第二のリジン残基が第一のリジン残基の位置kmin〜kmax内にあるか否かを決定することができる（８２０）。図８に示すように、kminとkmaxは、第一及び第二のリジン残基の間の距離の限界を定義する。典型的なレプリキンパターンについては、kminは６に等しく、kmaxは１０に等しくなるであろう。しかしながら、これらの値は、他の類似のパターンを発見することに興味のある研究者によって変更されるかもしれない。
【００３７】
方法８００がお互いに十分に近い2つのリジン残基を同定したら（８２０）、方法８００は、第一及び第二リジン残基両方のrmax位置以内にあるそれぞれのヒスチジン残基を調べることができる（８３０）。典型的なレプリキンパターンを同定しそして位置決めするために方法８００が採用される場合、通常、rmaxは５０に等しく設定されるであろう。ステップ（８１０）及び（８２０）において同定された２つのリジン残基のrmax位置以内にある各ヒスチジン残基について、方法８００が第一のリジン残基、第二のリジン残基及び同定されたヒスチジン残基を含む、最も短いアミノ酸残基の列を構築するであろう（８４０）。そして、方法８００は、その最短の列の長さが所望の範囲内にあるか否か、すなわち、それが少なくともrminのアミノ酸残基、かつrmax以下のアミノ酸残基を含むか否か、を決定するであろう（８５０）。最後に、同定されたアミノ酸の列が少なくともkパーセントのリジン残基も含む場合（８６０）、該列は所望のレプリキン様パターンに適合すると同定されるであろう（８７０）。
【００３８】
なお、図８を参照すると、方法８００が単一の所与のアミノ酸配列からいくつかのレプリキン様パターンを同定することができることは明らかである。これは、方法８００が2つの同定されたリジン残基のrmax位置以内にある1つ超のヒスチジン残基を調べることができるために、起こるかもしれない。同定された各ヒスチジン残基は、2つのリジン残基と一緒になって、所望のレプリキン様パターンにマッチしてもよい。
【００３９】
図８によって図示された方法の１つの実施態様が図９に示され、これは、本発明の実施態様によって、所与のアミノ酸配列中に存在するすべてのレプリキンパターンを発見するための手順を含む、ソースコードリストである。図９に示される「マッチ（match）」手順は、「Tcl」と呼ばれるインタプリト型シェル言語でプログラムされ、直接的な様式でレプリキンを認識する。本分野で知られているとおり、「ツールコマンドランゲージ（Tool Command Language）」又はTcl（「ティクル」と発音する）は、そのルーツをUnix（登録商標）コマンドシェルに有する、インタプリト型のスクリプト言語であるが、ネットワークコミュニケーション、インターネット機能及びグラフィカルユーザーインターフェースの急速な発達によく適合したさらなる能力を有する。
【００４０】
レプリキンパターンを認識する他の方法も、本発明の教示に含まれる。例えば、図９に示されるマッチ手順は、Java（登録商標）又はC又はC++などの他のプログラミング言語に実装されることができた。さらに、レプリキン認識アルゴリズムの他の実施態様は、任意の順番でレプリキンパターンの特徴を同定することができ、そしてまた、再帰的手順、反復手順、パラレル処理法、分割統治法、又はその任意の組み合わせを用いてアミノ酸配列及びサブ配列の構成要素を全検索することもできる。
【００４１】
タンパク質検索エンジン
図６に戻って、本発明は、タンパク質の定義を検索するために、ローカルに又はインターネットなどのネットワーク全体にわたってアミノ酸及びタンパク質データベースにアクセスしそして対話する検索エンジンを含むことができる。例えば、タンパク質及びアミノ酸リサーチシステム６３０は、ユーザーからタンパク質検索基準を受容することができ、そして、供給された検索基準にマッチするタンパク質の定義を検索するための、複数のオンラインのアミノ酸及びタンパク質データベース検索エンジンにアクセスすることができる。タンパク質データベース検索基準は、任意のオンラインタンパク質又はアミノ酸検索エンジンにおける有効な検索タームを形成することのできる任意のテキスト列を含むことができる。典型的には、これらの検索基準は、各特定のタンパク質を記述するプリントアウトにおいて見出されることのできるテキストに関連する。例えば、ユーザーが検索基準「A型インフルエンザ」を与えた場合、本発明の実施態様は、このテキスト列を複数のインターネットタンパク質及びアミノ酸検索エンジンに転送することができ、上記検索エンジンはそれぞれ、ターム「A型インフルエンザ」を含むそのデータベース中に発見された任意のタンパク質記述をリターンすることができる。アミノ酸配列スキャナー６４０を使用して、リターンされたタンパク質の記述のそれぞれは、レプリキンパターンの存在についてスキャンされることができる。
【００４２】
本発明のさらなる実施態様は、ユーザーに、複数のインターネットタンパク質検索エンジンを取捨選択すること、及び選択されたオンラインタンパク質検索エンジンのそれぞれのための本発明の検索基準とタンパク質検索能力をカスタマイズすることを可能とする。さらに、本発明の実施態様はまた、ユーザーがローカルなタンパク質データベース６５０にアクセスし、又は、例えば、タンパク質の定義を含むローカルファイルネームを供給するか、又はコンピュータソフトウエアにパラメータを供給するための本分野で知られた他の方法によって特定のタンパク質の定義を直接的に供給することを可能とする。
【００４３】
レプリキン分析
本発明の実施態様は、アミノ酸配列中のレプリキンパターンを同定し、そして位置決めするためだけに採用されることができるわけではない。実施例は、異なるタンパク質中に発生するレプリキンパターンの構造における類似性を発見して分析するため、又は同じタンパク質中に経時的に発生する異なるレプリキンパターンを分析するためにも使用されることができる。例えば、図１０は、「トリインフルエンザ（Bird Flu）」インフルエンザウイルス中に１９１７年〜２００４年の８７年間にわたって保存されてきた、レプリキン「固定足場」構造を示す表である。本発明の実施態様は、同じタンパク質の変異体中に発見されたレプリキンパターンを含む、タンパク質中に発見された多数のレプリキンパターンを集めることができる。各レプリキンパターンとともに、本発明の実施態様は各タンパク質が最初に同定された日付も付随させてもよい。研究者によって指導される場合、ある実施態様は、レプリキンパターン中に経時的に保存され、そして異なるタンパク質並びに同じタンパク質の変異体中に存在することのできる実質的に固定されたアミノ酸構造を明らかにするために、複数の選択されたレプリキンパターンを、内容、日付又は他の基準によってソーティングし及びディスプレイすることができる。さらに、研究者によって指導される場合、かかる固定されたアミノ酸構造を自動的に同定するために、ある実施態様は複数の選択されたレプリキンパターンを比較するための既知のパターン分析方法を採用してもよい。例として、図１０においては、例解されたレプリキンパターンは−この場合−アミノ末端において一対のリジン残基（kk）で始り、カルボキシル末端において一対のヒスチジン残基（hh）で終わり、そしてリジン残基を８、１０又は１１位のいずれかに含む、（通常）２９アミノ酸の比較的固定された足場構造を示しているようである。何十年にもわたるこの足場構造の保存は、合成ワクチンが迅速かつ安価に調製されることを可能とする。レプリキン足場構造が同定された後、かかるワクチンを合成するために、研究者は経時的に保存され、そしてタンパク質の現在の変異体中にも存在するその足場構造の構成要素を選択することができる。その後、ワクチンは足場構造から選択された構成要素に基づいて調製されることができる。かかるワクチンは保存された足場構造に基づくため、それらは何年もの間有効であり、かつ予想される大流行よりも充分前に開発されることができる。
【００４４】
レプリキン自体の発見並びにレプリキンパターンの同定及び位置決めのための本発明の実施態様は、病原体の同定のための標的を提供し、並びにワクチンを含む抗病原体療法を促進する。一般に、ペプチドのレプリキンファミリーについての知識及び同定は、レプリキンを有する任意の生物のための有効な治療及びワクチンの開発を可能とする。特に、レプリキンの同定は、インフルエンザウイルスを含むウイルスの検出及びウイルスワクチンの開発に備える。さらに、レプリキンの同定は、レプリキン構造を標的とする治療及びワクチンの開発を可能とすることに加えて、マラリア、炭疽、及び天然痘ウイルスなどの他の病原体の検出にも備える。感染性疾患のレプリキン、癌免疫レプリキン、及び構造タンパク質レプリキンの検出を含むレプリキンの同定によってさらなる例が提供される。
【００４５】
本発明の実施態様は、従来技術では見いだされなかったやり方で、アミノ酸の重要なレプリキンパターンが認識され、位置決めされ、そして分析されることを可能とする。従来技術の能力を用いて、研究者らはアミノ酸の配列を記述するための現存する技術に限定されてきた。実際に、従来技術の限界は、この分野における研究の勢いを何らかの方法で弱めるものであり、それは、非直線の属性を含むアミノ酸の配列を特定することがこれまでできなかったからである。本発明の方法及び実施態様が開発されるまで、アミノ酸配列の記述は、せいぜい反復するサブ配列及びサブ配列成分に対する論理的制約を含むものであった。本発明の実施態様は、従来技術において見出されないツールを用いて、アミノ酸の新たなクラスが発見され、位置決めされ、そして分析されることを可能とする。このアミノ酸の新たなクラスは、特定のアミノ酸濃度及び特定のアミノ酸間の距離関係などの属性に特徴を有する。これらの属性は、単純な隣接する順番を超越し、そしてしたがって、本分野で知られた現存の方法では容易に記述され、発見されまたは位置決めされない。
【００４６】
上記実施態様の機能は、プログラムの命令を実行する多様なコンピュータプラットフォームに提供されることができる。そのような1つのプラットフォーム１１００が図１１の単純化されたブロックダイアグラム中に例解される。そこでは、プラットフォーム１１００は、プロセッサ１６００によって仮定されたように示され、これは、バスサブシステム１１５０を介して多数の周辺デバイスと連絡する。これらの周辺デバイスは、典型的に、メモリサブシステム１１１０、ネットワークインターフェースサブシステム１１７０、及び入力／出力（I/O）ユニット１１８０を含む。プロセッサ１１６０は、マイクロプロセッサ、デジタルシグナルプロセッサ及びフィールドプログラマブル論理アレイを含む、複数の慣用のプロセシングシステムのいずれであることもできる。いくつかのアプリケーションにおいては、プラットフォーム１１００に複数のプロセッサ（示さない）を提供することが有利であることができる。プロセッサ１１６０は、メモリサブシステム１１１０中に記録されたプログラムの命令を実行する。メモリサブシステム１１１０は、電気的、磁気的、又は光学的メモリシステムを含む慣用のメモリサーキットの任意の組み合わせを含むことができる。図１１に示すように、メモリシステムは、リードオンリーメモリ１１２０、ランダムアクセスメモリ１１３０及びバルク記憶装置１１４０を含むことができる。メモリサブシステム１１１０は、本明細書に記載の様々な方法を表すプログラムの命令を記憶するのみでなく、これらの方法が実行されるデータアイテムを記憶することもできる。ネットワークインターフェースサブシステム１１７０は、外部ネットワークに、インターネットなどを含むネットワーク１１９０と連絡するインターフェースを含むインターフェースを提供することができる。I/Oユニット１１８０は、外部デバイス（示していない）との連絡を可能とするであろう。
【００４７】
本発明のいくつかの実施態様を、本明細書に特別に例解し、記載した。しかしながら、本発明の改変及び変更が、本発明の精神及び意図した範囲を離れることなく、本発明の教示に包含されることは理解されるであろう。さらに、本発明の教示は、これまで限定された連続的な直線分析を用いて特異的な配列の構成要素の同定にこれまで取り組んできた他の配列認識に関する問題に適合されることができる。
【図面の簡単な説明】
【００４８】
【図１】図１は、International Union of Pure and Applied Chemistry(IUPAC)によって供給された基準に従って、アミノ酸を単一のアルファベット文字としてコード化する変換表である。
【図２】図２は、National Center for Biotechnology Information (NCBI)によって保持されているタンパク質データベースを検索することによって得られたヒト癌タンパク質のプリントアウトである。
【図３】図３は、核酸塩基トリプレットとアミノ酸の間の対応を示す変換表である。
【図４】図４は、３つの「トリインフルエンザ」の大流行に先立つ、ヘマグルチニンの選択された系統中のレプリキンパターン濃度の急速な増加を示すグラフである。
【図５】図５は、さまざまな生物体中に発見されたレプリキンパターンの選択された例を示す表である。
【図６】図６は、本発明の実施態様によって、アミノ酸配列中のレプリキンパターンを同定するためのシステム及び方法を組み込んだコンピュータシステムの高レベルのブロック図である。
【図７】図７は、本発明の実施態様によって、アミノ酸配列中のレプリキンパターンを位置決めするための一般的な方法を示す単純なフローチャートである。
【図８】図８は、本発明の実施態様によって、アミノ酸配列中の複数のレプリキン様パターンを位置決めするための一般化された方法を示すフローチャートである。
【図９】図９は、本発明の実施態様によって、アミノ酸配列中のレプリキンパターンを発見するための手順を含むソースコードリストである。
【図１０】図１０は、異なるタンパク質中の、実質的に固定されたアミノ酸位置において発生するレプリキン足場を示す表である。
【図１１】図１１は、本発明において有用なコンピュータシステムプラットフォームの単純化されたブロック図である。
【図１】
2007535766.tif 000004
【図２】
2007535766.tif 000005
【図３】
2007535766.tif 000006
【図４】
2007535766.tif 000007
【図５】
2007535766.tif 000008
【図６】
2007535766.tif 000009
【図７】
2007535766.tif 000010
【図８】
2007535766.tif 000011
【図９】
2007535766.tif 000012
【図１０】
2007535766.tif 000013
【図１１】
2007535766.tif 000014
【配列表】
2007535766000001.app
【国際調査報告】
2007535766.tif 000015
2007535766.tif 000016
2007535766.tif 000017
2007535766.tif 000018
2007535766.tif 000019